(57)【要約】      （修正有）【課題】組み立てが便利で、操作及び点検が簡単で、調整の延伸性に優れる椅子の背もたれの曲率調整可能な装置を提供する。【解決手段】椅子の背もたれの曲率調整可能な装置は、湾曲自在な背もたれ１と、背もたれを支える第一支柱４と、背もたれの第一位置と第一支柱との間に連接される第一保持機構２と、背もたれの第二位置と第一支柱との間に連接され、連接部３０と可動部３１を有し、連接部が背もたれの第二位置と連接され、可動部が第一支柱に運動される第二保持機構３と、第二保持機構を第一支柱に固定する第一ロック機構５と、第一支柱を支える第二支柱６と、第一支柱と第二支柱との間に連接され、第一支柱を第二支柱の上に保持する第三保持機構７と、を含む。第二保持機構の可動部で第一支柱に対する位置を調整することにより、背もたれの表面曲率を変化させ、フィット性を高める。【選択図】図１
0003216152.tif 000002
【実用新案登録請求の範囲】
【請求項１】
湾曲自在な背もたれと、該背もたれを支える第一支柱と、該背もたれの第一位置と該第一支柱との間に連接される第一保持機構と、該背もたれの第二位置と該第一支柱との間に連接され、連接部と可動部を有し、該連接部が該背もたれの該第二位置と連接され、該可動部に該第一支柱が挿入されるように通過穴を有し、該可動部が該第一支柱に運動され、該可動部が支柱に対する異なる位置での運動によって、該背もたれを圧縮する又は引き伸ばしてその表面を曲率の変化を発生させる第二保持機構と、該第二保持機構を該第一支柱に固定される第一ロック機構とを含む。ことを特徴とする椅子の背もたれの曲率調整可能な装置。
【請求項２】
さらに第二支柱と、第三保持機構と、第二ロック機構と、を含み、該第三保持機構が、該第一支柱と該第二支柱との間に連接され、該第一支柱を該第二支柱の上に保持させ、該第三保持機構が作用部を有し、該作用部が該第一支柱を補助して該第二支柱にその高さの位置を変え、該第二ロック機構で固定することを特徴とする請求項１に記載の椅子の背もたれの曲率調整可能な装置。
【請求項３】
該作用部がリングであり、該第二支柱に覆設され、該第二支柱に軸方向に配置される複数の固定孔が分布され、該第二ロック機構が該作用部に連接され、該第二ロック機構が該作用部を通過していずれの該固定孔に挿入することにより、該第三保持機構を該第二支柱に固定させることを特徴とする請求項２に記載の椅子の背もたれの曲率調整可能な装置。
【請求項４】
該第二保持機構の該連接部に固定ロッドが貫設され、対応する該背もたれの該第二位置に固定座が設けられ、該固定ロッドが該固定座で覆設されることで該第二保持機構と該背もたれとを連接させることを特徴とする請求項１、２、又は３に記載の椅子の背もたれの曲率調整可能な装置。
【請求項５】
該第一支柱に複数のミシン目が軸方向に分布され、いずれの該ミシン目がそれぞれに連通して中央箇所に自然に軸方向のチャンネルを形成し、該可動部にさらに装着穴が設けられて該チャンネルと連通し、該第一ロック機構を装着するためであることを特徴とする請求項１、２、又は３に記載の椅子の背もたれの曲率調整可能な装置。
【請求項６】
該第一ロック機構がボタンとバネとを含み、該ボタンと該バネが該装着穴の内に配置され、該ボタンにピンを有して該装着穴と該チャンネルとを通過し、該バネが該ピンに隣る一側に配置され、その一端が該ボタンに当接し、その軸方向の他の一端が該チャンネルを通過して該可動部に当接し、該ボタンが力を受けて該バネを圧縮して弾力作用を発生させ、該ピンに、直径が該チャンネルより大きくて該ミシン目より小さい制動部と、直径が該チャンネルより小さい頸状部とを有し、普通の状態では、該制動部がいずれのミシン目に落として該可動部の運動を干渉することを特徴とする請求項５に記載の椅子の背もたれの曲率調整可能な装置。
【考案の詳細な説明】
【技術分野】
【０００１】
本考案は椅子に関し、特に使用の必要に合せて椅子の背もたれの曲率と位置を調整し、フィット性を高める椅子の背もたれの曲率調整可能な装置に関する。
【背景技術】
【０００２】
座り心地を向上するために、椅子の背もたれが人体に対して提供するフィット性の要求は絶対に欠けない要素であり、長時間の座った姿勢では、人体の背中が適切と快適な支持を得ないと、背中の痛みを感じるだけでなく、変形性脊椎症などの永続的な損傷を引き起こす可能である。
【０００３】
従来の技術では、インフレの方式で背もたれを隆起させてその表面の曲率を変え、乗員の腰背部が支持を得ることがあり、いくつかの効果を達成できるが、コストが高く、これらのインフレの部材が背もたれの内に埋め込まれる必要であり、故障又は誤動作を発生すると検査・修理や点検が困難になる。また、これらのインフレの部材が埋め込まれる箇所は一定であり、膨張後に特定の箇所で人体にフィットする支持のみを提供し、背もたれの形状の変化量を制限し、乗員が使用する必要を完全に満たすことは困難である。
【先行技術文献】
【特許文献】
【０００４】
【特許文献１】特開平８−３３０号公報
【考案の概要】
【０００５】
本考案の主な目的は、従来の技術より、組み立てが便利であり、操作及び点検が簡単であり、背もたれの曲率の調整の延伸性が優れたなどの利点を有する椅子の背もたれの曲率調整可能な装置を提供する。
【課題を解決するための手段】
【０００６】
上述した目的を達成するために、本考案に係る椅子の背もたれの曲率調整可能な装置は、湾曲自在な背もたれと、該背もたれを支える第一支柱と、該背もたれの第一位置と該第一支柱との間に連接される第一保持機構と、該背もたれの第二位置と該第一支柱との間に連接され、連接部と可動部を有し、該連接部が該背もたれの該第二位置と連接され、該可動部が該第一支柱に運動される第二保持機構と、該第二保持機構を該第一支柱に固定される第一ロック機構と、該第一支柱を支える第二支柱と、該第一支柱と該第二支柱との間に連接され、該第一支柱を該第二支柱の上に保持させる第三保持機構と、を含む。該第二保持機構の該可動部が該第一支柱に対する位置の調整可能によって、該背もたれの表面を連動して曲率の変化を発生させ、フィット性を高める。
【０００７】
さらに、該第三保持機構に作用部と第二ロック機構を有し、該作用部が該第一支柱を補助して該背もたれを連動し、該第二支柱にその高さの位置を変え、該第二ロック機構で固定する。このようにして、上記の該背もたれの表面の曲率を変化した後に人体に対応する位置が、この操作方式により制御することができ、換言すると、該第一支柱の位置が調整可能であり、該第一支柱の上に連接される該背もたれが該第二支柱の低い位置に対応すると人体の腰背部に適切にフィットし、反対に、表面が隆起する該背もたれの位置を高く調整すると人体の首肩に適切にフィットして支えとし、使用者の必要を更に満たすようにする。
【図面の簡単な説明】
【０００８】
【図１】本考案の外観図である。
【図２】本考案の背もたれの曲率を調整する状態を示す図である。
【図３】本考案の第二保持機構と背もたれと第一支柱との連接関係を示す図である。
【図４】本考案の第二保持機構と第一ロック機構との配置関係を示す図である。
【図５】本考案の第一ロック機構が可動部を干渉する状態を示す断面図である。
【図６】本考案の第一ロック機構が可動部に対する干渉の状態を解除する操作図である。
【考案を実施するための形態】
【０００９】
図１のように、本考案に係る椅子の背もたれの曲率調整可能な装置は、湾曲自在な背もたれ１と、第一保持機構２と、第二保持機構３と、該背もたれを支える第一支柱４と、第一ロック機構５とを含み、該第一保持機構２が該背もたれ１の第一位置１０と該第一支柱４との間に連接され、該第二保持機構３が該背もたれ１の第二位置１１と該第一支柱４との間に連接され、該背もたれ１を該第一支柱４の上に保持させ、、該第一保持機構２が固定されて不動になる場合に、該第二保持機構３に力を加えてそれを該第一支柱４に運動させ、該背もたれ１の該第二位置１１を連動してそれが該第一支柱４に対する高さを変え、該背もたれ１の表面を曲率の変化を発生させ、人体の背中に必要となる支持位置に対応し、フィット性を高める。
【００１０】
上記において、該第二保持機構３が連接部３０と可動部３１を有し、好ましくは、該連接部３０が該背もたれ１の底端に連接され、該可動部３１が該第一支柱４に連接され、該第一ロック機構５で該第一支柱４に固定され、該第一ロック機構５でのロックを解除した後に、該可動部３１が該第一支柱４に対して異なる高さの位置を調整可能である。図２に示すように、該可動部３１が変位すると、湾曲自在な該背もたれ１に対して圧縮する又は引き伸ばしてその表面を曲率の変化を発生させ、換言すると、該第一保持機構２と第二保持機構３との間の距離が近いほど該背もたれ１の表面が隆起する曲率が大きくなり、より強大な支持性を提供することを代表し、反対に、該第一保持機構２と第二保持機構３との間の距離が遠いほど該背もたれ１の表面が隆起する曲率が小さくなり、より低い支持性を提供することを代表し、制御可能な調整であり、このような調整によって、さらに使用者の異なるフィット性の必要と座り心地を満たすようにする。
【００１１】
本考案はさらに、第二支柱６と、第三保持機構７と、第二ロック機構８と、を含む。該第三保持機構が、該第一支柱４と該第二支柱６との間に連接され、該第一支柱４を該第二支柱６の上に保持させ、該第三保持機構が作用部７０を有し、図１に示す矢印方向のように、該作用部７０が該第一支柱４を補助して該第二支柱６にその高さの位置を変え、該第二ロック機構８で固定する。本考案の実施例において、該作用部７０がリングであり、該第二支柱６に覆設され、該第二支柱６に軸方向に配置される複数の固定孔６０が分布され、該第二ロック機構８がボルトで該作用部７０に連接され、該第二ロック機構８が該作用部７０を通過していずれの該固定孔６０に挿入することにより、該第三保持機構７を該第二支柱６に固定させ、該第一支柱４が該第二支柱６に対する高さの位置を同時に固定する。換言すると、該第一支柱４の位置が調整可能であり、該第一支柱４の上に連接される該背もたれ１が該第二支柱６の低い位置に対応すると人体の腰背部に適切にフィットし、反対に、表面が隆起する該背もたれ１の位置を高く調整すると人体の首肩に適切にフィットして支えとする。
【００１２】
続いて、図３、図４、及び図５を同時に参照し、該第二保持機構３の該連接部３０に固定ロッド３００が貫設され、対応する該背もたれ１の該第二位置１１に固定座１１０が設けられ、該固定ロッド３００が該固定座１１０で覆設されることで該第二保持機構３と該背もたれ１とを連接させ、該第二保持機構３の該可動部３１の内に、該可動部３１を軸方向に貫通する通過穴３１０を有して該第一支柱４の挿入を提供し、該可動部３１と該第二保持部３３とが該第一支柱４にそれらの高さの位置を調整可能にさせ、該第一ロック機構５が該可動部３１に配置され、該可動部３１を干渉してそれを該第一支柱４に固定させる。
【００１３】
該可動部３１の固定を合せるために、該第一支柱４に複数のミシン目４０が軸方向に分布され、いずれのミシン目４０がそれぞれに連通して中央箇所に自然に軸方向のチャンネル４１を形成し、該可動部３１にさらに装着穴３１１が設けられて該チャンネル４１と連通し、該第一ロック機構５を装着するためである。
【００１４】
図４に示すように、該第一ロック機構５がボタン５０とバネ５１とを含み、該ボタン５０と該バネ５１が該装着穴３１１の内に配置され、該ボタン５０にピン５２を有して該装着穴３１１と該チャンネル４１とを通過し、該バネ５１が該ピン５２に隣る一側に配置され、その一端５１０が該ボタン５０に当接し、その軸方向の他の一端５１１がチャンネル４１を通過して該可動部３１に当接し、該ボタン５０が力を受けて該バネ５１を圧縮して弾力作用を発生させる。さらに、該ピン５２に、直径が該チャンネル４１より大きくて該ミシン目４０より小さい制動部５２０と、直径が該チャンネル４１より小さい頸状部５２１とを有し、普通の状態では、図５に示すように、該制動部５２０がいずれのミシン目に落として該可動部の運動を干渉し、好ましくは、該制動部５２０の末端に、ボルト５２２で直径が該ミシン目４０より大きいストッパ５２３に連接され、該ピン５２が反対方向へ該装着穴３１１から離脱することを防止できる。
【００１５】
操作の時に、図６を参照し、該ボタン５０に圧力を加えた後に、該ピン５２の該制動部５２０が該ミシン目４０から離脱されて該可動部３１に対する干渉を失い、同時に該バネ５１を圧縮して弾性力を積み、この場合、該ピン５２の該頸状部５２１の直径が該チャンネル４１より小さいため、該可動部３１の作動を干渉しないので、該可動部３１が該第一支柱４に変位可能であり、即ち、該第二保持機構３が該第一支柱４に移動して該背もたれ１の該第二位置１１を連動することができる。該第二保持機構３が該第一保持機構２に近づくほど該背もたれ１の湾曲の角度が大きくなり、人体の背中により強大な支持性を提供し、反対に、該第二保持機構３が該第一保持機構２に遠退く方向へ移動するほど該背もたれ１の湾曲の角度が小さくなり、人体の背中にフィットする際により低い支持性を提供する。該背もたれ１の曲率をちゃんと調整した後に、該ボタン５０を解除すると、該バネ５１が回復する弾性力で該制動部５２０を対応するミシン目４０の内にはね返、該可動部３１を干渉してそれを移動されない。
【００１６】
上記により、ただ該第二保持機構３の操作と変位により、該背もたれ１を湾曲させて人体の背中に適切な支持を得られ、該第一ロック機構５の操作が簡単であり、ただ片手で該ボタン５０を押して楽に完成し、もっと重要なのは、該第一支柱４に完成した該背もたれ１の曲率を調整した後に、該第二支柱６に該背もたれ１の高さの位置を移動し、該背もたれ１を人体の背中にフィットする最適の位置に調整させ、例えば、、腰背部、首肩など、さらに使用者の全部の必要を満たす。
【００１７】
上述の実施形態は、本考案の好適な実施形態を示したものであり、本考案の実用新案登録請求の範囲を限定するものではなく、本考案の実用新案登録請求の範囲及び明細書の同等効果である変更又は修飾は、全て本考案の範囲に含まれる。
【符号の説明】
【００１８】
１……背もたれ
１０……第一位置
１１……第二位置
１１０……固定座
２……第一保持機構
３……第二保持機構
３０……連接部
３００……固定ロッド
３１……可動部
３１０……通過穴
３１１……装着穴
４……第一支柱
４０……ミシン目
４１……チャンネル
５……第一ロック機構
５０……ボタン
５１……バネ
５１０……バネの一端
５１１……バネの他の一端
５２……ピン
５２０……制動部
５２１……頸状部
５２２……ボルト
５２３……ストッパ
６……第二支柱
６０……固定孔
７……第三保持機構
７０……作用部
８……第二ロック機構
【図１】
0003216152.tif 000003
【図２】
0003216152.tif 000004
【図３】
0003216152.tif 000005
【図４】
0003216152.tif 000006
【図５】
0003216152.tif 000007
【図６】
0003216152.tif 000008